(57)【要約】  単位投与量包装システムのスリーブと共に使用するスライドカード（１０）であって、薬剤の単位投与量を受容するように構成されたベースパネル（４０）と、前記ベースパネル（４０）にヒンジ（３０）によって結合されたロッキングパネル（２０と、互いに対して折り重ねた場合に、前記ベースパネル（４０）と前記ロッキングパネル（２０）との間の実質的に平行な整合を阻止するための折り畳み抵抗機構（３０）、（７０）、（８０）と、を備え、もって、ロッキングパネル（２０）のスリーブの少なくとも１つのロッキング要素との係合を促進し、これにより、ベースパネル（４０）をスリーブから抜き取られるべく試みた場合に該スリーブからのベースパネル（４０）からの望ましくない移動を阻止するスライドカードが提供される。
2008515558.tif 000002
【特許請求の範囲】
【請求項１】
単位投与量包装システムのスリーブと共に使用するスライドカードであって、
ベースパネルであって、薬剤の単位投与量を受容するために、前記ベースパネルと共に一体形成された少なくとも１つのブリスタを具備する、前記ベースパネルと、
前記ベースパネルと共に一体成形され、かつ該ベースパネルから延在してヒンジで留められたロッキングパネルであって、前記ベースパネルに対して回動可能であり、もって、前記スリーブの少なくとも１つのロッキング要素に係合して前記スリーブからの前記ベースパネルの望ましくない移動を阻止する、前記ロッキングパネルと、を備えるスライドカード。
【請求項２】
互いに対して折り重ねられた場合に、前記ベースパネルと前記ロッキングパネルとの間の実質的に平行な整合を阻止するための少なくとも１つの折り畳み抵抗機構を更に備える、請求項１に記載のスライドカード。
【請求項３】
前記少なくとも１つの折り畳み抵抗機構は、一緒に折り畳まれた時に前記ベースパネルと前記ロッキングパネルが互いに対して離れるように付勢するように形成された、前記ベースパネルと前記ロッキングパネルを接続する前記ヒンジを備える、請求項２に記載のスライドカード。
【請求項４】
前記少なくとも１つの折り畳み抵抗機構が、前記ベースパネルと少なくとも１つの折り畳み抵抗当接部を具備する前記ロッキングパネルの少なくとも１つを備える、請求項２に記載のスライドカード。
【請求項５】
前記ベースパネルと前記ロッキングパネルの各々は少なくとも１つの折り畳み抵抗当接部を具備する、請求項４に記載のスライドカード。
【請求項６】
前記ベースパネルの前記折り畳み抵抗当接部と、前記ロッキングパネルの前記折り畳み抵抗当接部と、が互いに対して係合するように配置される、請求項５に記載のスライドカード。
【請求項７】
前記折り畳み抵抗当接部は浮彫りである、請求項４に記載のスライドカード。
【請求項８】
前記スライドカードはプラスチックで形成される、請求項１に記載のスライドカード
【請求項９】
単位投与量包装システムのスリーブと共に使用するスライドカードであって、
少なくとも１つの薬剤の単位投与量を受容するように構成されたベースパネルと、
前記ベースパネルと共に一体成形され、かつ該ベースパネルから延在してヒンジで留められたロッキングパネルと、
互いに対して折り重ねられた場合に、前記ベースパネルと前記ロッキングパネルとの間の実質的に平行な整合を阻止するための少なくとも１つの折り畳み抵抗機構であって、もって、前記ロッキングパネルと、前記スリーブの少なくとも１つのロッキング要素と、の係合を促進する、前記少なくとも１つの折り畳み抵抗機構と、を備えるスライドカード。
【請求項１０】
前記少なくとも１つの折り畳み抵抗機構は、一緒に折り畳まれた場合に、前記ベースパネルと前記ロッキングパネルが互いに対して離れるように付勢するように形成された、前記ベースパネルと前記ロッキングパネルを接続する前記ヒンジを備える、請求項９に記載のスライドカード。
【請求項１１】
前記少なくとも１つの折り畳み抵抗機構が、前記ベースパネルと少なくとも１つの折り畳み抵抗当接部を具備する前記ロッキングパネルの少なくとも１つを備える、請求項１０に記載のスライドカード。
【請求項１２】
前記ベースパネルと前記ロッキングパネルの各々は少なくとも１つの前記折り畳み抵抗当接部を具備する、請求項１１に記載のスライドカード。
【請求項１３】
前記ベースパネルの前記折り畳み抵抗当接部と、前記ロッキングパネルの前記折り畳み抵抗当接部と、が互いに対して係合するように配置される、請求項１２に記載のスライドカード。
【請求項１４】
前記折り畳み抵抗当接部は浮彫りである、請求項１１に記載の単位投与量包装システム。
【請求項１５】
前記スライドカードはプラスチックで形成される、請求項９に記載の単位投与量包装システム。
【請求項１６】
単位投与量包装システムであって、
スリーブと、
前記スリーブへの選択的挿入及び該スリーブからの選択的抜き取りをするスライドカードであって、
ベースパネルであって、薬剤の単位投与量を受容するために前記ベースパネルと一体成形された少なくとも１つのブリスタを具備する、前記ベースパネルと、
前記ベースパネルと共に一体成形され、かつ該ベースパネルから延在してヒンジで留められたロッキングパネルであって、前記スリーブの少なくとも１つのロッキング要素と係合するように、前記ベースパネルに対して回動可能である、前記ロッキングパネルと、を含む、前記スライドカードと、を備える単位投与量包装システム。
【請求項１７】
互いに対して折り重ねられた場合に、前記ベースパネルと前記ロッキングパネルとの間の実質的に平行な整合を阻止するための少なくとも１つの折り畳み抵抗機構を更に備える、請求項１６に記載の単位投与量包装システム。
【請求項１８】
前記少なくとも１つの折り畳み抵抗機構は、一緒に折り畳まれた時に前記ベースパネルと前記ロッキングパネルが互いに対して離れるように付勢するように形成された、前記ベースパネルと前記ロッキングパネルを接続する前記ヒンジを備える、請求項１７に記載の単位投与量包装システム。
【請求項１９】
前記少なくとも１つの折り畳み抵抗機構が、前記ベースパネルと折り畳み抵抗当接部を具備する前記ロッキングパネルの少なくとも１つを備える、請求項１７に記載の単位投与量包装システム。
【請求項２０】
前記ベースパネルと前記ロッキングパネルの各々は前記折り畳み抵抗当接部を具備する、請求項１９に記載の単位投与量包装システム。
【請求項２１】
前記ベースパネルの前記折り畳み抵抗当接部と、前記ロッキングパネルの前記折り畳み抵抗当接部と、が互いに対して係合するように配置される、請求項２０に記載の単位投与量包装システム。
【請求項２２】
前記折り畳み抵抗当接部は浮彫りである、請求項１９に記載の単位投与量包装システム。
【請求項２３】
前記スライドカードはプラスチックで形成される、請求項１６に記載の単位投与量包装システム。
【請求項２４】
単位投与量包装システムであって、
スリーブと、
前記スリーブへ選択的挿入及び該スリーブからの選択的抜き取りをするスライドカードであって、少なくとも１つの薬剤の単位投与量を受容するように構成されたベースパネルと、前記ベースパネルと共に一体成形され、かつ該ベースパネルから延在してヒンジで留められたロッキングパネルと、を具備する、前記スライドカードと、
互いに対して折り重ねられた場合に、前記ベースパネルと前記ロッキングパネルとの間の実質的に平行な整合を阻止するための少なくとも１つの折り畳み抵抗機構であって、もって、前記ロッキングパネルと、前記スリーブの少なくとも１つのロッキング要素と、の係合を促進する、前記少なくとも１つの折り畳み抵抗機構と、を備える単位投与量包装システム。
【請求項２５】
前記少なくとも１つの折り畳み抵抗機構は、一緒に折り畳まれた時に前記ベースパネルと前記ロッキングパネルが互いに対して離れるように付勢するように形成された、前記ベースパネルと前記ロッキングパネルを接続する前記ヒンジを備える、請求項２４に記載の単位投与量包装システム。
【請求項２６】
前記少なくとも１つの折り畳み抵抗機構が、前記ベースパネルと折り畳み抵抗当接部を具備する前記ロッキングパネルとの少なくとも１つを備える、請求項２５に記載の単位投与量包装システム。
【請求項２７】
前記ベースパネルと前記ロッキングパネルの各々は少なくとも１つの前記折り畳み抵抗当接部を具備する、請求項２６に記載の単位投与量包装システム。
【請求項２８】
前記ベースパネルの前記折り畳み抵抗当接部と、前記ロッキングパネルの前記折り畳み抵抗当接部と、が互いに対して係合するように配置される、請求項２７に記載の単位投与量包装システム。
【請求項２９】
前記折り畳み抵抗当接部は浮彫りである、請求項２６に記載の単位投与量包装システム。
【請求項３０】
前記スライドカードはプラスチックで形成される、請求項２４に記載の単位投与量包装システム。
【発明の詳細な説明】
【技術分野】
【０００１】
[関連出願]
本出願は、本願明細書に全内容が参考文献として援用される、２００４年１０月１１日に出願された、同時継続の米国仮出願第６０／６１７，９８２号に基づく優先権を主張する。
【０００２】
本発明は単位投薬量包装システムに関し、より詳細には、改良されたスライドカードであって、該スライドカードと共に一体成形されたブリスタと、スライドカードのロッキングパネルの性能を向上させるための要素と、を具備するスライドカードに関する。
【背景技術】
【０００３】
単位投与量包装システムは、薬剤の個体、あるいは単位の、投薬量を分配する手段として有用である。こうしたシステムは、包装が子供によって開かれるか、閉じられるか、及び、手先の器用さが年齢と共に減少し得る個々の老人による一般用途に対する抗力を与える更なる特徴を有する場合にはより有用でさえある。これらの２つの特徴は、通常、それぞれ、「チャイルドプルーフ(child-resistant)」及び「老人にやさしい(senior-friendly)」ものである、包装、あるいはシステムとして呼称される。
【０００４】
MeadWestvaco社、あるいは、その前任の企業実体の１つは、チャイルドプルーフ及び老人にやさしい特徴を有する単位投薬量包装システムを開示する、米国で発行された特許を所有する。本願の所有者である、MeadWestvaco社は単位投薬量包装システムを開示する特許文献１乃至４に記載の特許の所有者である。これらの４つの特許の明細書及び教示は本願明細書に参考文献として援用される。
【０００５】
特許文献５は、シェル内に受容されるスライドカードを具備する単位投薬量包装システムを開示する。挿入可能な内側スライドカードはサイドパネル及びサイドパネル延長部から構成され、両者は対称な構成をしており、スライドカードを構成するために互いに対して上に折り畳まれる。１組の対称なサイドパネルはそれぞれの単位投薬量ブリスタを受容するための慣用の単位投薬量包装穴を含む。これらのパネルの対称な等価物はそれぞれの単位投薬量の除去を可能にするための穴に対応する穿孔された領域を含む。サイドパネル延長部はサイドパネル部分の一端に配置され、かつ該サイドパネルから長手方向に延在して装置をロックするシステムの一部であるパネルを構成する延長部を構成する。延長部はサイドパネル部分上に折り畳まれて２つの別々のロッキング機構に係合する状態にある。
両方のロッキング装置では、延長部の先端エッジは、所望されるまで、インサートカードの抜き取りを阻止する態様でスリーブ又はシェルのエッジ及び／又は開口に係合する。１つのロッキング機構がスリーブ／シェルの後端に位置づけられて、インサートをスリーブ／シェル内の完全に挿入された所定位置に維持する。解放機構は、延長部を下降且つ係合を解除し、これによりインサートを抜き取り可能にするために押し下げ得る。第２ロッキング機構が、開口である、スリーブの前端に配置された折り畳まれたパネルによって構成される。折り畳まれた単数又は複数のパネルの延長部は、インサートカードが完全に抜き取られるのを防止するために捕捉する停止機構を提供する。
【０００６】
特許文献６は、スリーブ／シェル内のインサートを十分に保持する第１ロッキング機構の使用を促進するためのカットアウト及びノードから成るスリーブ／シェルの改良を開示する。
【０００７】
特許文献７は、外側スリーブが内側スライドカードを把持且つ除去するために偏倚されているノッチを含み、かつ外側スリーブが重合体フィルムで少なくとも部分的にラミネートされる単位投薬量包装システムを開示する。
【０００８】
特許文献８は、スリーブから折り畳み可能に延在するポケットを具備する単位投薬量包装システムを開示する。
【０００９】
スリーブ／シェルからの内側スライドカードの望ましくない部分的又は完全な除去の防止又は阻止は子供の改竄の妨害及び大人の使用を容易にする支援をする上で重要である。従って、スリーブ／シェルからの内側カードの望ましくない除去を防止又は阻止する機構の作用を向上させる単位投薬量包装を具備することが有用であることが理解される。
【００１０】
製造のコストは何れの製品を生産する上で重要なファクターであるため、効率的に作動し、耐久力があり且つ頑丈であり、及び組立が簡単であり、これにより製造コストを減じる単位投薬量包装を具備することが望ましいことが同様に理解される。
【特許文献１】米国特許第６，０４７，８２９号明細書
【特許文献２】米国特許第６，２３０，８９３号明細書
【特許文献３】米国特許第６，４１２，６３６号明細書
【特許文献４】米国特許第６，７５２，２７２号明細書
【特許文献５】米国特許第６，０４７，８２９号明細書
【特許文献６】米国特許第６，２３０，８９３号明細書
【特許文献７】米国特許第６，４１２，６３６号明細書
【特許文献８】米国特許第６，７５２，２７２号明細書
【発明の開示】
【課題を解決するための手段】
【００１１】
本発明は、製造するのに単純、かつ費用対効果の大きい内側スライドカードを具備する単位投薬量包装システムを提供する。システムのスライドカードも、スリーブ又はシステムのシェルからのスライドカードの望ましくない除去を防ぐか又は禁止するための改善された機構も与える。
【００１２】
本発明の一態様の好ましい実施形態では、単位投薬量包装システムのスリーブと共に使用するためのスライドカードは、薬剤の単位投薬量を受容するためのスライドカードのベースパネルが一体形成された少なくとも１つのブリスタを具備する。
【００１３】
本発明の第２態様の好ましい実施形態では、単位投薬量包装システムのスリーブ又はシェルと共に使用するためのスライドカードは、ベースパネルとスライドカードのロッキングパネルとの間に実質的に平行な整合を阻止するための少なくとも１つの折り畳み抵抗機構を具備する。
【００１４】
本発明の第２態様の別の好ましい実施形態では、折り畳み抵抗機構は、ベースパネルとロッキングパネルが互いに対して離れるように付勢するように構成された、ベースパネルとロッキングパネルを接続するヒンジである。
【００１５】
本発明の第２態様の更に好ましい実施形態では、ベースパネルとスライドカードのロッキングパネルの少なくとも１つは、折り畳み抵抗機構として少なくとも１つの折り畳み抵抗当接部を具備する。
【００１６】
本発明の第２態様のなお更に好ましい実施形態では、ベースパネルとロッキングパネルの各々は少なくとも１つの折り畳み抵抗当接部を具備する。
【００１７】
本発明の第２態様のなお更に好ましい実施形態では、ベースパネルの折り畳み抵抗当接部とロッキングパネルの折り畳み抵抗当接部は互いに対して係合するように配置される。
【００１８】
本発明のなお更に好ましい実施形態では、折り畳み抵抗当接部は浮彫りである。
【００１９】
本発明の最後の好ましい実施形態では、ベースパネル及びロッキングパネルを含むスライドカードはプラスチックから形成される。
【発明を実施するための最良の形態】
【００２０】
必要に応じて、本発明の詳細な実施形態は本願明細書で開示される。開示された実施形態は種々の及び変形形態、及びこれらの組合せを具現化し得る、本発明の単なる例示に過ぎないことを理解しなければならない。図面は縮尺通りである必要はなく、かつ幾つかの特徴は特定の構成要素の詳細を示すために誇張又は最小化し得る。他の実施例では、本発明を不明瞭にすることを避けるために、周知の構成要素、システム、材料又は方法は詳細に説明していない。従って、本願明細書に開示された特定の構造的及び機能的詳細は限定として解釈されるべきではなく、特許請求の範囲の単なる根拠として及び本発明を種々に採用するために当業者に教示するための代表的な根拠として解釈すべきである。
【００２１】
第１に図１を参照すると、本発明の好ましい実施形態に従うスライドカードが例示されている。スライドカード１０は、ベースパネル４０と、ヒンジ３０で留められたロッキングパネル２０と、を具備する。ベースパネルは、薬品を保持するためのブリスタ５０を具備する。リブ６０がベースパネル４０の外周周りに延在する。ロッキングパネル２０は折り畳み抵抗当接部７０を具備し、ベースパネル４０はヒンジ３０に近接する折り畳み抵抗当接部８０を具備する。
【００２２】
ここで、図１ａを参照すると、図１ａには前部の有利な位置からの平面視で見たスライドカード１０が例示されている。本発明の１つの態様は折り畳み抵抗当接部７０、８０に主に向けられている。図１の平面図では、スライドカードがブリスタと一体形成されるか、あるいは、スライドカードに結合された別々のブリスターパックを具備するかに拘わらず同じに見える。図１ａは、カード１０が複合スライド及びブリスターカードから形成されるが折り畳み抵抗当接部機構をなお維持する態様を例示する。ベースパネル４０の表面より上に隆起している単数又は複数のリブ６０の組合せはフランジ要素４２を作り出す。
【００２３】
ここで、図２のスライドカードの側面図を参照すると、折り畳み抵抗当接部７０、８０の互いに対する整合及び相対的配置が分かる。図１ａに示すように、一体カードと反対側にあるような複合スライド及びブリスタカードからカードを形成するオプションが示されている。この側面図では、ヒンジ３０が他の要素、すなわち、折り畳み抵抗当接部７０、８０及びリブ６０の「逆」に形成される可能性を有して示されている。カード１０がプラスチック材料及び幾つかのタイプの紙基体で作られる場合、道具セットによって、熱形成又はダイプレスのような製造プロセスによって形成し得る。本発明によって教示される一体のスライド及びブリスタカードは単純であり、かつ、特にカードがプラスチック基板から作られるときに、これらのプロセスによって簡易的に形成し得る。ヒンジ３０に対する「逆」という用語は、例示されたようなヒンジが、当接部７０、８０及び単数又は複数のリブ６０が形成される方向とは反対の、下向き方向に形成されるという事実に言及する。逆形態に示されてはいるが、ヒンジはカード上の他の要素と同じ上向き方向に適切に形成し得る。ヒンジ３０は、ヒンジ及び水切りを構成するラインに沿った穿孔に限定されるものではないがこれを含む周知の基板製造方法によって何れかの形状構成に形成し得る。
【００２４】
ここで、図３を参照すると、図１、図１ａ又は図２のスライドカードが斜視図で示されている。ロッキングパネル２０はベースパネル４０に対してヒンジ３０の回りで部分的に回動して示されている。スライドカード１０を使用する際に、薬剤９０はブリスタ５０内に収容される。全体的に示されているが図示されていない、フォイル又はフォイルを含む幾つかのタイプの複合基板のような基板は周知の方法によって除去されるまでブリスタ５０内の所定位置の薬剤を保持する。
【００２５】
最後に図４を参照すると、スライドカード１０は、本願明細書で検討されているような従来技術に示されるようなロッキング配置構成を構成する支援をするためのスリーブ又はシェルの１つ以上のロック具に係合する位置まで更に回動されたロッキングパネル２０を具備して図３に例示されるように示されている。
【００２６】
本発明の一態様では、図１、図３及び図４に例示された実施形態に示すように、スライドカード１０はベースパネルと一体形成された単位投薬量ブリスタ５０を具備する。
【００２７】
本発明の別の態様では、システムのスリーブ又はシェルのロッキング配置構成の一部を構成する開口又はパネルによって係合されるべきロッキングパネル２０の能力は、ベースパネル４０に対する実質的に平行な状態からロッキングパネルを離すように付勢させることによって向上する。折り畳み抵抗機構はこの目的を果たす。ヒンジ３０はロッキングパネルを付勢する折り畳み抵抗機構として働く。ヒンジ３０の付勢量はヒンジ３０の厚さを変えるか、さもなければ、ヒンジ３０を構成する折り目線が曲げを許容するように弱化される程度を変えるような製造技術によって制御し得る。当接部７０、８０は付加的又は明らかな折り畳み抵抗機構又は要素として働く。当接部７０、８０はロッキングパネル２０及びベースパネル４０が互いに対して実質的に平行な状態内に配置されることを阻止する。ロッキングパネル２０及びベースパネル４０の何れの１つの当接部７０、８０は折り畳み抵抗機構又は要素として働くには充分であり、１つ以上が何れか１つ又は両方のパネルに使用される。それぞれのロッキングパネル２０及びベースパネル４０上での対向する当接部７０、８０の使用は各当接部の高さを最小化する一方で所望の折り畳み抵抗を達成することができる利点を与える。当接部は多くの形態を取り得るが、浮彫りが形成された当接部は基板、特にプラスチック製スライドカード基板で容易に製造し得る。紙は基板として使用し得るが、プラスチックは容易に熱成形、ダイプレス、あるいは、さもなければ、容易に手動操作し得る。
【００２８】
本願特許請求の範囲の全ての考え得る実施形態を説明し且つ教示することは特許法的に必要なく、かつ費用が法外に高くなることを強調しなければならない。従って、上述した実施形態は本発明の原理を明瞭に理解するために記載された実施例の単なる例示的な説明に過ぎない。変形、変更、及び組合せは特許請求の範囲から逸脱せずに上述した実施形態によってなし得る。全てのこうした変形、変更、及び組合せは本願明細書の開示及び添付の特許請求の範囲に含まれる。
【図面の簡単な説明】
【００２９】
【図１】本発明の実施形態によるスライドカードの平面図である。
【図１ａ】図１のスライドカードの前端部の立面図である。
【図２】図１のスライドカードの側面図である。
【図３】ベースパネルに対して部分的に回動されたロッキングパネルを示す図１のスライドカードの斜視図である。
【図４】図１のスライドカードの斜視図である。
【符号の説明】
【００３０】
１０  スライドカード
２０  ロッキングパネル
３０  ヒンジ
４０  ベースパネル
４２  フランジ要素
５０  単位投薬量ブリスタ
６０  リブ
７０、８０  折り畳み抵抗当接部
９０  薬剤
【図１】
2008515558.tif 000003
【図１Ａ】
2008515558.tif 000004
【図２】
2008515558.tif 000005
【図３】
2008515558.tif 000006
【図４】
2008515558.tif 000007
【国際調査報告】
2008515558.tif 000008
2008515558.tif 000009